(57)【要約】【課題】正面視において直接光源が視認されることがなく、且つ光量（輝度）低下が抑制されると共に複数色の光を同時に照射することができる光学機能を備えた照明装置を提供することにある。【解決手段】第１光源６０と、第２光源６１と、透明部材からなる導光体５０と、反射面５８を有するリフレクタ５７と、を備え、第１光源６０が導光体５０の光入射面５０ｃ近傍に配置され、第２光源６１とリフレクタ５７とが導光体５０を挟んで対向配置され、第１光源６０から出射して光入射面５０ｃから導光体５０に入射した光が該導光体５０内を導光されて光出射面５０ｄから前方に向けて出射され、第２光源６１から出射された光が導光体５０を透過してリフレクタ６７の反射面５８で前方に向けて反射される。【選択図】図５
2018200749.tif 000002
【特許請求の範囲】
【請求項１】
第１光源と、
第２光源と、
透明部材からなる導光体と、
反射面を有するリフレクタと、を備え、
前記導光体を挟んだ両側に前記リフレクタが位置し、
前記第１光源が前記導光体の光入射面近傍に配置され、
前記導光体を挟んで一方の側に位置する前記リフレクタの後方に配置された前記第２光源と、前記導光体を挟んで他方の側に位置する前記リフレクタとが前記導光体を挟んで対向配置され、
前記第１光源から出射して前記光入射面から前記導光体に入射した光が該導光体内を導光されて光出射面から前方に向けて出射され、
前記第２光源から出射された光が前記導光体を透過して前記リフレクタの反射面で前方に向けて反射されることを特徴とする照明装置。
【請求項２】
前記第１光源と前記第２光源とは互いに発光色が異なる光源であることを特徴とする請求項１に記載の照明装置。
【請求項３】
前記第１光源はトップビュー型のＬＥＤ光源であり、前記第２光源はサイドビュー型のＬＥＤ光源であることを特徴とする請求項１又は請求項２に記載の照明装置。
【発明の詳細な説明】
【技術分野】
【０００１】
本発明は、照明装置に関するものであり、詳しくは、光源と導光体とによる光学系及び光源とリフレクタとによる光学系の２つの光学系を備えた照明装置に関する。
【背景技術】
【０００２】
従来、光源とリフレクタとにより光学系を形成した照明装置としては、例えば、特許文献１に「照明装置」の名称で開示されたものがある。
【０００３】
開示された照明装置８０は、図１２（（ａ）（斜視図）、（ｂ）（縦断面図））にあるように、六角筒状の基板ベース８１の周りに該基板ベース８１を囲むようにリフレクタ８２が配置されており、基板ベース８１には、各外側面毎に該基板ベース８１の長手方向に沿って３つのＬＥＤ光源８３がその光出射面を外側のリフレクタ８２側に向けて実装され、リフレクタ８２には、ＬＥＤ光源８３と対向する側の面（内面）に環状の光反射面８４を有している。つまり、ＬＥＤ光源８３の光出射面とリフレクタ８２の環状光反射面８４とが互いに対向配置されている。
【０００４】
そして、各ＬＥＤ光源８３からリフレクタ８２に向けて出射された光は該リフレクタ８２の光反射面８４の、夫々のＬＥＤ光源８３の対向領域で反射されて反射光が上方あるいは斜め上方に向けて照射される。
【０００５】
そこで、この照明装置を直上方向から見ると、ＬＥＤ光源８３及びＬＥＤ光源８３が実装された基板ベース８１（光源部８５）がリフレクタ８２の光反射面８４の中央位置にむき出しとなって直接視認されるために見栄えに違和感が生じる。そこで図１３（（ａ）（斜視図）、（ｂ）（縦断面図））にあるように、光源部８５の直上に外面を光反射面８６とする六角錐状のフード８７を設けて光源部８５を覆い隠すことがなされる場合がある。
【０００６】
この場合、フード８７の外面の光反射面８６に、リフレクタ８２の光反射面８４で斜め上方に向けて反射された反射光を上方向けて反射する光学機能を持たせている。
【先行技術文献】
【特許文献】
【０００７】
【特許文献１】特開２０１３−２２９１２８号
【発明の概要】
【発明が解決しようとする課題】
【０００８】
ところで、上記構成からなる照明装置８０は、ＬＥＤ光源８３から出射してリフレクタ８２の光反射面８４で反射された光が空間を経て再度フード８７の外面の光反射面８６で上方に向けて反射される。そのため、フード８７の外面の光反射面８６による反射光は、空間を挟んで２回の反射による光であるため光量（輝度）の低下が避けられない。
【０００９】
また、ＬＥＤ光源８３から出射してリフレクタ８２の光反射面８４で反射された反射光と、リフレクタ８２の光反射面８４で反射されて更にフード８７の光反射面８６で反射された反射光とは、互いに同一光源から出射された光であるために光色が同一である。つまり、照明装置８０からは単一色の光しか照射されない。そのため、照明演出のバリエーションに乏しいものとなってしまう。
【００１０】
そこで、本発明は上記問題に鑑みて創案なされたもので、その目的とするところは、正面視において直接光源が視認されることがない構成によって少なくとも光量（輝度）低下が抑制された照明装置を提供することにあり、更に、複数色の光を同時に照射することができる光学機能を付加した照明装置を提供することにある。
【課題を解決するための手段】
【００１１】
上記課題を解決するために、本発明の請求項１に記載された発明は、第１光源と、第２光源と、透明部材からなる導光体と、反射面を有するリフレクタと、を備え、前記導光体を挟んだ両側に前記リフレクタが位置し、前記第１光源が前記導光体の光入射面近傍に配置され、前記導光体を挟んで一方の側に位置する前記リフレクタの後方に配置された前記第２光源と、前記導光体を挟んで他方の側に位置する前記リフレクタとが前記導光体を挟んで対向配置され、前記第１光源から出射して前記光入射面から前記導光体に入射した光が該導光体内を導光されて光出射面から前方に向けて出射され、前記第２光源から出射された光が前記導光体を透過して前記リフレクタの反射面で前方に向けて反射されることを特徴とするものである。
【００１２】
また、本発明の請求項２に記載された発明は、請求項１において、前記第１光源と前記第２光源とは互いに発光色が異なる光源であることを特徴とするものである。
【００１３】
また、本発明の請求項３に記載された発明は、請求項１又は請求項２において、前記第１光源はトップビュー型のＬＥＤ光源であり、前記第２光源はサイドビュー型のＬＥＤ光源であることを特徴とするものである。
【発明の効果】
【００１４】
本発明の照明装置によれば、正面視において第１光源が導光体の後方に位置し、第２光源がリフレクタの後方に位置している。その結果、第１光源及び第２光源のいずれも直接観察者の目に触れることがない（見えない）ため、外観上の見栄えが良好で商品性の高い照明装置となっている。
【００１５】
また、導光体からの出射光及びリフレクタの反射面による反射光の夫々が、第１光源及び第２光源の夫々からの直接光であるため、光量（輝度）低下が抑制された明るい照明装置が実現する。
【００１６】
更に、第１光源と導光体とによる光学系及び第２光源とリフレクタとによる光学系の２つの独立した光学系を備えているため、第１光源と第２光源を互いに発光色が異なる光源とすることにより照射光の多色化で用途の自由度が高まると共に夫々の光学系を個別に制御することにより照明演出の演出効果を高めることができる。
【図面の簡単な説明】
【００１７】
【図１】第１の実施形態の照明装置の分解斜視図である。
【図２】第１の実施形態の照明装置の正面図である。
【図３】図２のＡ−Ａ断面図である。
【図４】第１の実施形態の照明装置に係る基本的な光学系を示す断面模式図である。
【図５】第１の実施形態の照明装置に係る基本的な光学系における光線図である。
【図６】第２の実施形態の照明装置に係る基本的な光学系を示す断面模式図である。
【図７】第２の実施形態の照明装置に係る基本的な光学系における光線図である。
【図８】第３の実施形態の照明装置に係る基本的な光学系を示す断面模式図である。
【図９】第３の実施形態の照明装置に係る基本的な光学系における光線図である。
【図１０】第４の実施形態の照明装置に係る基本的な光学系を示す断面模式図である。
【図１１】第４の実施形態の照明装置に係る基本的な光学系における光線図である。
【図１２】従来例の説明図である。
【図１３】従来例の説明図である。
【発明を実施するための形態】
【００１８】
以下、この発明の好適な実施形態を図１〜図１１を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
図１は、本発明に係る第１の実施形態の照明装置の分解斜視図、図２は正面図、図３は図２のＡ−Ａ断面図である。
【００２０】
第１の実施形態の照明装置は、光源と導光体とによる光学系（第１の光学系）及び光源とリフレクタとによる光学系（第２の光学系）の２つの独立した光学系を備えており、そのうち特に第２の光学系においては、光源からの出射光が、第１の光学系を構成する導光体を透過してリフレクタに照射される構成を備えている。
【００２１】
以下に具体的な構成について説明する。
【００２２】
照明装置１は、有底開口の箱状のハウジング２と、２種類のＬＥＤ光源５、６と、複数（本実施形態においては５つ）の導光体１０、１１、１２、１３、１４と、複数（本実施形態においては５つ）のリフレクタ２０、２１、２２、２３、２４を有している。
【００２３】
２種類のＬＥＤ光源５、６は、一方のＬＥＤ光源５が、実装時に光軸が実装面に対して垂直方向を向く所謂トップビュー型のＬＥＤ光源（以下、「第１光源」と呼称する）からなり、他方のＬＥＤ光源６が、実装時に光軸が実装面に対して水平方向を向く所謂サイドビュー型のＬＥＤ光源（以下、「第２光源」と呼称する）からなっている。
【００２４】
導光体１０、１１、１２、１３、１４の夫々は、後方（ハウジング２の底部側）から前方（ハウジングの開口側）に向けて且つハウジング２の底部に対して略垂直方向に延びる所定の厚みの複数の略平板部（以下、「平板部」と略称する）が屏風状に連続して折り曲げられて形成されている。
【００２５】
そのうち導光体１０は、７面の平板部１０ａ、１０ｂ、１０ｃ、１０ｄ、１０ｅ、１０ｆ、１０ｇが部分環状に折曲形成されており、その左右それぞれの側方に所定の間隔を置いて導光体１１及び導光体１２が配置されている。
【００２６】
導光体１１は、３面の平板部１１ａ、１１ｂ、１１ｃが折曲形成され、平板部１１ａ、１１ｂ、１１ｃの夫々が導光体１０の平板部１０ａ、１０ｂ、１０ｃの夫々に沿って配置されている。
【００２７】
導光体１２は、３面の平板部１２ａ、１２ｂ、１２ｃが折曲形成され、平板部１２ａ、１２ｂ、１２ｃの夫々が導光体１０の１０ｇ、１０ｆ、１０ｅの夫々に沿って配置されている。
【００２８】
更に、導光体１１及び導光体１２の夫々の側方に所定の間隔を置いて導光体１３及び導光体１４が配置されている。
【００２９】
導光体１３は、３面の平板部１３ａ、１３ｂ、１３ｃが折曲形成され、平板部１３ａ、１３ｂ、１３ｃの夫々が導光体１１の平板部１１ａ、１１ｂ、１１ｃの夫々に沿って配置されている。
【００３０】
導光体１４は、３面の平板部１４ａ、１４ｂ、１４ｃが折曲形成され、平板部１４ａ、１４ｂ、１４ｃの夫々が導光体１２の１２ａ、１２ｂ、１２ｃの夫々に沿って配置されている。
【００３１】
なお、導光体１０、１１、１２、１３、１４の夫々は、後方側の端部の一部がハウジング２の底部３よりも一段高い上げ底部８の溝部８ａに嵌め込まれて位置決めがなされている。
【００３２】
次に、リフレクタ２０、２１、２２、２３、２４の夫々は、前面に縦横複数の反射面が連続して形成されてなる複数の複合反射面が連続して折り曲げられて形成された反射面を備えており、各複合反射面はいずれも後方から前方に向かって外側に開く傾斜状に形成されている。
【００３３】
そのうちリフレクタ２０は、８面の複合反射面２０ａ、２０ｂ、２０ｃ、２０ｄ、２０ｅ、２０ｆ、２０ｇ、２０ｈが環状に折曲形成された反射面を有しており、その左右それぞれの側方に所定の間隙を設けて導光体リフレクタ２１及びリフレクタ２２が配置されている。
【００３４】
リフレクタ２１は、３面の複合反射面２１ａ、２１ｂ、２１ｃが折曲形成された反射面を有しており、複合反射面２１ａ、２１ｂ、２１ｃの夫々がリフレクタ２０の複合反射面２０ａ、２０ｂ、２０ｃの夫々に沿って配置されている。
【００３５】
リフレクタ２２は、３面の複合反射面２２ａ、２２ｂ、２２ｃが折曲形成された反射面を有しており、複合反射面２２ａ、２２ｂ、２２ｃの夫々がリフレクタ２０の複合反射面２０ｇ、２０ｆ、２０ｅの夫々に沿って配置されている。
【００３６】
更に、リフレクタ２１及びリフレクタ２２の夫々の側方に所定の間隙を設けてリフレクタ２３及びリフレクタ２４が配置されている。
【００３７】
リフレクタ２３は、３面の複合反射面２３ａ、２３ｂ、２３ｃが折曲形成された反射面を有しており、複合反射面２３ａ、２３ｂ、２３ｃの夫々がリフレクタ２１の複合反射面２１ａ、２１ｂ、２１ｃの夫々に沿って配置されている。
【００３８】
リフレクタ２４は、３面の複合反射面２４ａ、２４ｂ、２４ｃが折曲形成された反射面を有しており、複合反射面２４ａ、２４ｂ、２４ｃの夫々がリフレクタ２２の複合反射面２２ａ、２２ｂ、２２ｃの夫々に沿って配置されている。
【００３９】
なお、リフレクタ２０、２１、２２、２３、２４の夫々には裏面から後方に延びる押圧用リブ２５が形成され、導光体１０、１１、１２、１３、１４の夫々には側面から側方に延びる挟持用リブ１５が形成されており、リフレクタ２０、２１、２２、２３、２４をハウジング２の上げ底部８に固定することにより、導光体１０、１１、１２、１３、１４の挟持用リブ１５が、ハウジング２の上げ底部８とリフレクタ２０、２１、２２、２３、２４の押圧用リブ２５との間に挟み込まれて導光体１０、１１、１２、１３、１４がハウジング２の上げ底部８に保持固定されている。
【００４０】
そして、導光体１０の平板部１０ａ〜１０ｇ、導光体１１の平板部１１ａ〜１１ｃ、導光体１２の平板部１２ａ〜１２ｃ、導光体１３の平板部１３ａ〜１３ｃ、導光体１４の平板部１４ａ〜１４ｃの夫々の後端近傍には第１光源（トップビュー型のＬＥＤ光源）５が配置され、第１光源５の近傍斜め前方には第２光源（サイドビュー型のＬＥＤ光源）６が配置されている。
【００４１】
上記構成の照明装置を前方から見ると、中央部に環状の複合反射面２０ａ〜２０ｈが位置し、複合反射面２０ａ〜２０ｈの左右それぞれの側方に所定の間隙を設けて該複合反射面２０ａ〜２０ｈに沿って複合反射面２１ａ〜２１ｃ及び複合反射面２２ａ〜２２ｃが位置し、複合反射面２１ａ〜２１ｃ及び複合反射面２２ａ〜２２ｃの夫々の側方に所定の間隙を設けて該複合反射面２１ａ〜２１ｃ及び複合反射面２２ａ〜２２ｃの夫々に沿って複合反射面２３ａ〜２３ｃ及び複合反射面２４ａ〜２４ｃが位置している。
【００４２】
そして、複合反射面２０ａ〜２０ｈと複合反射面２１ａ〜２１ｃとの間に、該複合反射面２０ａ〜２０ｈと複合反射面２１ａ〜２１ｃとの間の間隙を埋めるように、導光体１０の前方側の、帯状で折曲形状の端面３０が位置し、同様に、複合反射面２０ａ〜２０ｈと複合反射面２２ａ〜２２ｃとの間に、該複合反射面２０ａ〜２０ｈと複合反射面２２ａ〜２２ｃとの間の間隙を埋めるように、導光体１０の前方側の、帯状で折曲形状の端面３０が位置している。
【００４３】
また、複合反射面２１ａ〜２１ｃと複合反射面２３ａ〜２３ｃとの間に、該複合反射面２１ａ〜２１ｃと複合反射面２３ａ〜２３ｃとの間の間隙を埋めるように、導光体１１の前方側の、帯状で折曲形状の端面３１が位置し、同様に、複合反射面２２ａ〜２２ｃと複合反射面２４ａ〜２４ｃとの間に、該複合反射面２２ａ〜２２ｃと複合反射面２４ａ〜２４ｃとの間の間隙を埋めるように、導光体１２の前方側の、帯状で折曲形状の端面３２が位置している。
【００４４】
更に、複合反射面２３ａ〜２３ｃの外側に、該複合反射面２３ａ〜２３ｃに沿って導光体１３の前方側の、帯状で折曲形状の端面３３が位置し、同様に、複合反射面２４ａ〜２４ｃの外側に、該複合反射面２４ａ〜２４ｃに沿って導光体１４の前方側の、帯状で折曲形状の端面３４が位置している。
【００４５】
この場合、第１光源５及び第２光源６のいずれの光源も、中央部のカバー部７を含めて複合反射面２０ａ〜２０ｈ、２１ａ〜２１ｃ、２２ａ〜２２ｃ、２３ａ〜２３ｃ、２４ａ〜２４ｃ及び端面３０、３１、３２、３３、３４の後方に位置して隠れるため外部から直接見えることはない。そのため、見栄えが良好で商品性の高い表示装置が実現する。
【００４６】
なお、各リフレクタに形成された複合反射面は、リフレクタを高反射性を有する樹脂材料で形成することにより樹脂表面をそのまま光反射面として機能させることができる。あるいは、リフレクタの表面に蒸着ないしメッキ加工を施すことにより鏡面反射面を得ることも可能である。
【００４７】
次に、上記構成からなる照明装置に関し、光源と導光体とリフレクタとによる基本的な光学系について図４及び図５の断面模式図を参照して詳細に説明する。なお、光源、導光体及びリフレクタ等に係る符号については、上記第１の実施形態で用いた符号とは異なる符号を用いて説明する。
【００４８】
略平板状の導光体５０（図４参照）は、夫々の前面に縦横複数の反射面が連続して形成されてなる複合反射面からなる反射面５６及び反射面５８を備えたリフレクタ５５及びリフレクタ５７の間に挟まれて配置されており、リフレクタ５５の前端部と導光体５０の一方の面５０ａ側の前端部とが互いに近接して延在し、導光体５０を挟んでリフレクタ５５と反対側に位置するリフレクタ５７の後端部が導光体５０の他方の面５０ｂ側の後端部の多少前方側に近接して延在している。
【００４９】
導光体５０の後方側の端面直下には、該端面に光出射面６０ａを対向させた状態で１個ないしは複数個のトップビュー型のＬＥＤ光源（第１光源）６０が配置されている。
【００５０】
導光体５０の、第１光源６０の直上領域は、該第１光源６０の光軸Ｘを主軸とすると共に主軸上の第１光源６０の光出射面６０ａの位置を一対の双曲線の他方の焦点Ｆの位置とする双曲線を主軸を回転軸として回転して得られた第１光源６０側に凸の回転双曲面又は回転双曲面を基調とする自由曲面で構成されている。
【００５１】
この回転双曲面又は回転双曲面を基調とする自由曲面で構成された面は、第１光源６０から出射された光が導光体５０内に入射する光入射面５０ｃであり、入射光を平行光にして前方に向ける光学機能を有している。
【００５２】
また、導光体５０の光入射面５０ｃと対向する側の端面は所定の幅の帯状を有し、該光入射面５０ｃから入射して導光体５０内を導光された光が外部に出射される光出射面５０ｄとしての光学機能面を形成している。
【００５３】
そして、１個ないしは複数個のサイドビュー型のＬＥＤ光源（第２光源）６１が、後方から前方に向かって外側に開く傾斜面からなるリフレクタ５５の前方側の領域の後方の、導光体５０の一方の面５０ａ近傍に位置すると共に、導光体５０を挟んで反対側に位置するリフレクタ５７の後方側の端部よりも多少前方位置に位置している。
【００５４】
この場合、第２光源６１の光出射面６１ａは、該第２光源６１の近傍に位置する導光体５０を介して導光体５０の向こう側に位置するリフレクタ５７の後端部領域に向いている。
【００５５】
そこで（図５参照）、トップビュー型の第１光源６０から出射して導光体５０の回転双曲面又は回転双曲面を基調とする自由曲面からなる光入射面５０ｃに至った光Ｌ１は、該光入射面５０ｃから導光体５０に入射してほぼ平行光となって前方側の光出射面５０ｄに向けて導光体５０内を導光され、ほぼ平行光のまま光出射面５０ｄから出射して前方に向けて照射される。
【００５６】
一方、サイドビュー型の第２光源６１から出射した光Ｌ２は、対向する導光体５０に向かい、導光体５０をそのまま厚み方向に通過してリフレクタ５７の反射面５８に至り、反射面５８で反射されて光路制御された光が前方に向けて照射される。
【００５７】
したがって、第１光源６０から出射した光Ｌ１と第２光源６１から出射した光Ｌ２とは導光体５０内において光路が交差するが、互いの光学系に影響を及ぼすことはない。
【００５８】
これを、前方側から見ると、リフレクタ５７からは反射面５８の反射光による面状の発光が視認され、導光体５０からは帯状の光出射面５０ｄからのライン状の発光が視認される。なお、光出射面５０ｄにシボ加工等の光拡散処理を施すことにより光出射面５０ｄから出射される光の輝度分布を均一化することができる。
【００５９】
このように、第１の実施形態の照明装置は、面状発光とライン状発光が連続して繰り返される見え方を有している。
【００６０】
また、トップビュー型のＬＥＤ光源とサイドビュー型のＬＥＤ光源のいずれもが直接観察者の目に触れることがない（見えない）ため、外観上の見栄えが良好で商品性の高い照明装置となる。
【００６１】
また、導光体からの出射光及びリフレクタの反射面による反射光の夫々が、第１光源及び第２光源の夫々からの直接光であるため、光量（輝度）低下が抑制された明るい照明装置が実現する。
【００６２】
更に、トップビュー型のＬＥＤ光源と導光体とによる光学系及びサイドビュー型のＬＥＤ光源とリフレクタとによる光学系の２つの独立した光学系を備えているため、夫々の光学系を個別に光学制御することにより、照明演出のバリエーションを広げることができる。具体的には、例えば、トップビュー型のＬＥＤ光源とサイドビュー型のＬＥＤ光源とを、互いに発光色が異なる光源とすることにより照射光の多色化により用途の自由度を高めることができる。
【００６３】
また、トップビュー型のＬＥＤ光源とサイドビュー型のＬＥＤ光源の点灯タイミングを個別に制御することによっても照明演出の演出効果を高めることができる。
【００６４】
次に、第２の実施形態の照明装置の基本的な光学系について図６及び図７の断面模式図を参照して説明する。
【００６５】
第２の実施形態は、上記第１の実施形態に対して、光源にトップビュー型のＬＥＤ光源のみをほぼ同一平面上に並設すると共に、それに伴って導光体の光入射側の形状を変えている。換言すると、リフレクタの配置を変えることなく、光源の種類と配置位置及び導光体の形状を変えたものである。
【００６６】
具体的には図６に示すように、平板状の導光体５０の後方端部側（光入射面５０ｃ側）を、互いの端面が略同一平面上に平行に延在するように二股に分岐し、夫々の端面の直下に１個ないしは複数個のトップビュー型のＬＥＤ光源（第1光源）６０及び６０Ａを配置している。
【００６７】
分岐した夫々の端面の、第1光源６０及び第１光源６０Ａの直上領域は、第１光源６０及び第１光源６０Ａの夫々の光軸Ｘを主軸とすると共に主軸上の第１光源６０の光出射面６０ａ及び第１光源６０Ａの光出射面６０Ａａの位置を一対の双曲線の他方の焦点Ｆの位置とする双曲線を主軸を回転軸として回転して得られた第１光源６０側及び第１光源６０Ａに凸の回転双曲面又は回転双曲面を基調とする自由曲面で構成されている。
【００６８】
この回転双曲面又は回転双曲面を基調とする自由曲面で構成された面は、第１光源６０及び第１光源６０Ａの夫々から出射された光が導光体５０内に入射する光入射面５０ｃ及び光入射面５０ｅであり、入射光を平行光にして上方に向ける光学機能を有している。
【００６９】
そして、一方の第１光源６０の光軸Ｘの延長方向には、導光体５０の、光入射面５０ｃ側と反対側の端面（光出射面５０ｄ）が位置し、リフレクタ５５の前端側の領域の後方に位置する第１光源６０Ａの光軸Ｘの延長方向には、導光体５０の側面側に凹の自由曲面からなる湾曲面を有しており、この湾曲面は、第１光源６０Ａから出射して導光体５０内を導光された光を側方のリフレクタ５７側に向ける内部反射面（全反射面）５０ｆの光学機能を有している。
【００７０】
そこで（図７参照）、一方の第１光源６０から直上に位置する導光体５０の回転双曲面又は回転双曲面を基調とする自由曲面からなる光入射面５０ｃに向けて出射された光Ｌ１は、該光入射面５０ｃから導光体５０に入射してほぼ平行光となって前方側の光出射面５０ｄに向けて導光体５０内を導光され、ほぼ平行光のまま光出射面５０ｄから出射して前方に向けて照射される。
【００７１】
また、他方の第１光源６０Ａから直上に位置する導光体５０の回転双曲面又は回転双曲面を基調とする自由曲面からなる光入射面５０ｅに向けて出射された光Ｌ３は、該光入射面５０ｅから導光体５０に入射してほぼ平行光となって前方側の湾曲面からなる内部反射面５０ｆに向けて導光体内を導光され、内部反射面５０ｆで内部反射（全反射）されて分散光となって導光体５０の対向する他方の面５０ｂに向けて導光体５０内を略厚み方向に導光され、該他方の面５０ｂからリフレクタ５７の反射面５８に向けて出射され、反射面５８で反射されて光路制御された光が前方に向けて照射される。
【００７２】
この場合も上記第１の実施形態と同様に、第１光源６０から出射した光Ｌ１と第１光源６０Ａから出射した光Ｌ３とは導光体５０内において光路が交差するが、互いの光学系に影響を及ぼすことはない。
【００７３】
そこで、上記構成による照明装置は、トップビュー型のＬＥＤ光源（第１光源）を同一の高さに実装できるため、部材及び製造上のコストが低減できる。
【００７４】
また上記第１の実施形態と同様に、照明装置は、面状発光とライン状発光が連続して繰り返される見え方を有している。
【００７５】
また、いずれのトップビュー型のＬＥＤ光源も直接観察者の目に触れることがない（見えない）ため、外観上の見栄えが良好で商品性の高い照明装置となる。
【００７６】
また、導光体からの出射光及びリフレクタの反射面による反射光の夫々が、第１光源の夫々からの直接光であるため、光量（輝度）低下が抑制された明るい照明装置が実現する。
【００７７】
更に、トップビュー型のＬＥＤ光源と導光体とによる光学系及びトップビュー型のＬＥＤとリフレクタとによる光学系の２つの独立した光学系を備えているため、夫々の光学系を個別に光学制御することにより、照明演出のバリエーションを広げることができる。具体的には、例えば、トップビュー型のＬＥＤ光源の夫々を、互いに発光色が異なる光源とすることにより照射光の多色化により用途の自由度を高めることができる。
【００７８】
また、トップビュー型のＬＥＤ光源の夫々の点灯タイミングを個別に制御することによっても照明演出の演出効果を高めることができる。
【００７９】
次に、第３の実施形態の照明装置の基本的な光学系について図８及び図９の断面模式図を参照して説明する。
【００８０】
第３の実施形態は図８に示すように、上記第１の実施形態に対して、サイドビュータイプのＬＥＤ光源（第２光源）を取り除いて導光体５の直下に位置するトップビュータイプのＬＥＤ光源（第１光源）６０のみの構成とし、同時に、リフレクタ５７を後方側に移動させて後端部が第１光源６０の側方に位置するように配置した。
【００８１】
そこで（図９参照）、第1光源６０から出射して導光体５０の回転双曲面又は回転双曲面を基調とする自由曲面からなる光入射面５０ｃに至った光Ｌ１は、該光入射面５０ｃから導光体５０に入射してほぼ平行光となって前方側の光出射面５０ｄに向けて導光体５０内を導光され、ほぼ平行光のまま光出射面５０ｄから出射して前方に向けて照射される。
【００８２】
一方、第１光源６０から出射してリフレクタ５７の反射面５８に向かう光Ｌ４は、直接反射面５８で反射されて光路制御された光が前方に向けて照射される。
【００８３】
そこで、上記構成の照明装置は、上記第１の実施形態及び第２の実施形態と同様に、面状発光とライン状発光が連続して繰り返される見え方を有している。
【００８４】
また、トップビュー型のＬＥＤ光源から出射した光が、導光体に対する導光光とリフレクタの反射面による反射光として照明装置の照射光の形成に寄与するものとなるため光源からの出射光の光利用効率が向上する。この場合も、ＬＥＤ光源が直接観察者の目に触れることがない（見えない）ため、外観上の見栄えが良好で商品性の高い照明装置となる。
【００８５】
次に、第４の実施形態の照明装置の基本的な光学系について図１０及び図１１の断面模式図を参照して説明する。
【００８６】
第４の実施形態は、上記第３の実施形態に対して、導光体の後方端部側（光入射面側５０ｃ）の形状を変えることで第３実施形態において活用されていなかった光を照射光として活用することにより更に光利用効率を高める構成となっている。
【００８７】
具体的には図１０に示すように、導光体５０の後方端部側（光入射面５０ｃ側）の形状を、第１光源６０の直上に位置する、回転双曲面又は回転双曲面を基調とする自由曲面からなる光入射面５０ｃと、光入射面５０ｃの、リフレクタ５５側の前端部から該光入射面５０ｃ及び第１光源６０を側方から囲むように後方にほぼ平面状に延びる内側面からなる光入射面５０ｇと、光入射面５０ｇの後端部から前方に向かって第１光源６０の光軸Ｘから離れる方向にほぼ平面状に傾斜して延びる後方側外側面からなる後方側内部反射面５０ｈと、後方側内部反射面５０ｈの前端部近傍から前方に向かって第１光源６０の光軸Ｘに近づく方向に延びる多少後方側に凹の湾曲面による前方側外側面からなる前方側内部反射面５０ｉを有している。
【００８８】
そこで（図１１参照）、第１光源６０からリフレクタ５７の反射面５８に向けて出射された光Ｌ４は、直接反射面５８で反射されて光路制御された光が前方に向けて照射される。
【００８９】
また、第１光源６０から直上に位置する導光体５０の回転双曲面又は回転双曲面を基調とする自由曲面からなる光入射面５０ｃに向けて出射された光Ｌ１は、該光入射面５０ｃから導光体５０に入射してほぼ平行光となって前方側の光出射面５０ｄに向けて導光体５０内を導光され、ほぼ平行光のまま光出射面５０ｄから出射して前方に向けて照射される。
【００９０】
更に、第１光源６０から導光体５０の光入射面５０ｇに向けて出射された光Ｌ５は、光入射面５０ｇから導光体５０に入射して導光体５０内を導光されて後方側内部反射面５０ｈに至り、後方側内部反射面５０ｈで内部反射（全反射）されて略平行光となって前方に位置する前方側内部反射面５０ｉに向けて導光体５０内を導光され、前方側内部反射面５０ｉで内部反射（全反射）されて多少分散光となって導光体５０の他方の面５０ｂに向けて導光体５０内を略厚み方向に導光され、該他方の面５０ｂからリフレクタ５７の反射面５８に向かけて出射され、該反射面５８で反射されて光路制御された光が前方に向けて照射される。
【００９１】
これにより、第１光源６０から放射状に出射して回転双曲面又は回転双曲面を基調とする自由曲面からなる光入射面５０ｃから導光体５０に入射した光Ｌ１、平面状の光入射面５０ｇから導光体５０に入射した光Ｌ５、及びリフレクタ５７の反射面５８に向かう光Ｌ４の夫々が照明装置の照射光の形成に寄与するものとなり、光源からの出射光の光利用効率が優れたものとなる。この場合も、この場合も、ＬＥＤ光源が直接観察者の目に触れることがない（見えない）ため、外観上の見栄えが良好で商品性の高い照明装置となる。
【００９２】
また、上記構成の照明装置は、上記第１の実施形態〜第３の実施形態と同様に、面状発光とライン状発光が連続して繰り返される見え方を有している。
【符号の説明】
【００９３】
１…  照明装置
２…  ハウジング
３…  底部
３ａ…  溝
５…  第１光源（トップビュー型ＬＥＤ光源）
６…  第２光源（サイドビュー型ＬＥＤ光源）
７…  カバー部
８…  上げ底部
８ａ…  溝部
１０…  導光体
１０ａ〜１０ｇ…  平板部
１１…  導光体
１１ａ〜１１ｃ…  平板部
１２…  導光体
１２ａ〜１２ｃ…  平板部
１３…  導光体
１３ａ〜１３ｃ…  平板部
１４…  導光体
１４ａ〜１４ｃ…  平板部
１５…  挟持用リブ
２０…  リフレクタ
２０ａ〜２０ｈ…  複合反射面
２１…  リフレクタ
２１ａ〜２１ｃ…  複合反射面
２２…  リフレクタ
２２ａ〜２２ｃ…  複合反射面
２３…  リフレクタ
２３ａ〜２３ｃ…  複合反射面
２４…  リフレクタ
２４ａ〜２４ｃ…  複合反射面
２５…  押圧用リブ
３０…  端面
３１…  端面
３２…  端面
３３…  端面
３４…  端面
５０…  導光体
５０ａ…  一方の面
５０ｂ…  他方の面
５０ｃ…  光入射面
５０ｄ…  光出射面
５０ｅ…  光入射面
５０ｆ…  内部反射面
５０ｇ…  光入射面
５０ｈ…  後方側内部反射面
５０ｉ…  前方側内部反射面
５５…  リフレクタ
５６…  反射面
５７…  リフレクタ
５８…  反射面
６０…  第１光源
６０ａ…  光出射面
６０Ａ…  第１光源
６０Ａａ…  光出射面
６１…  第２光源
６１ａ…  光出射面
【図１】
2018200749.tif 000003
【図２】
2018200749.tif 000004
【図３】
2018200749.tif 000005
【図４】
2018200749.tif 000006
【図５】
2018200749.tif 000007
【図６】
2018200749.tif 000008
【図７】
2018200749.tif 000009
【図８】
2018200749.tif 000010
【図９】
2018200749.tif 000011
【図１０】
2018200749.tif 000012
【図１１】
2018200749.tif 000013
【図１２】
2018200749.tif 000014
【図１３】
2018200749.tif 000015